(57)【要約】【課題】配管の接続部からの脱落をより確実に防止することのできる管接続用ファスナーの提供。【解決手段】Ｃ形のファスナー本体４を接続部３の側方から装着する。ファスナー本体４を両側の配管２ａ、２ｂに係合する。係止カバー６でファスナー本体４のＣ形状の開放部５を覆う。係止カバー６でファスナー本体４の両端を係止する。係止カバー６がＣ形のファスナー本体４の開放部５が広がるのを阻止する。係止カバー６を接続部３の両側の配管２ａ、２ｂに係合する。係止カバー６が受ける外部の力を配管２ａ、２ｂに受け持たせる。【選択図】  図２
2017187072.tif 000002
【特許請求の範囲】
【請求項１】
配管の接続部の両側に跨りつつ前記接続部の周囲に配されて前記配管の抜け出しを阻止する管接続用ファスナーであって、前記接続部の側方から装着されて両側の配管に係合するＣ形のファスナー本体と、該ファスナー本体のＣ形状の開放部を覆うと共にファスナー本体の両端を係止する係止カバーとを備え、前記係止カバーが、接続部の両側の配管に係合可能とされたことを特徴とする管接続用ファスナー。
【請求項２】
前記係止カバーは、ファスナー周方向で両端付近が前記接続部の両側の配管に係合可能とされたことを特徴とする請求項１に記載の管接続用ファスナー。
【請求項３】
前記配管の外周面に、前記接続部で互いに隣接する環状突起が設けられ、前記ファスナー本体に、隣接する二条の環状突起を挟むよう対をなす本体側係合部が設けられ、前記係止カバーに、隣接する二条の環状突起を挟むよう対をなすカバー側係合部が設けられたことを特徴とする請求項１又は２に記載の管接続用ファスナー。
【発明の詳細な説明】
【技術分野】
【０００１】
本発明は、配管の接続部の両側に跨りつつ接続部の周囲に配されて配管の抜け出しを阻止する管接続用ファスナーに関するものである。
【背景技術】
【０００２】
一般に、配管の接続に用いられる管接続用ファスナーは、例えば弾性を有する帯状の金属部材を略Ｃ形に折曲形成した構造とされ、配管の接続部に側方から装着して、両配管のフランジに係合させることにより、接続部からの配管の抜け止めとして機能するようになっている。
【０００３】
ただ、単に金属部材を略Ｃ形に折曲形成しただけの管接続用ファスナーは、外部から力が加わった場合には、そのＣ形状の開放部が広がるように弾性変形して、接続部から脱落するおそれがある。
【０００４】
これに対し、特許文献１は、クリップ（ファスナー）の開口端を跨ぐように装着して、両端の拡開防止壁をクリップの開口端に当接させることにより、クリップの拡開を防止するようにした抜止カバーを開示している。
【先行技術文献】
【特許文献】
【０００５】
【特許文献１】特開平８−０２８７７０号公報（段落番号０００５、００１４、図１〜図６）
【発明の概要】
【発明が解決しようとする課題】
【０００６】
ところが、特許文献１の抜止カバーは、単に、ファスナーの開放部を跨ぐように装着しただけのものであり、この抜止カバーが外部から力を受けた場合には、まず、抜止カバーがファスナーから脱落することにより、ファスナーが配管の接続部から脱落するおそれがある。
【０００７】
本発明は、配管の接続部からの脱落をより確実に防止することのできる管接続用ファスナーの提供を目的とする。
【課題を解決するための手段】
【０００８】
上記目的を達成するために、本発明に係る管接続用ファスナーは、配管の接続部の両側に跨らせつつ接続部の周囲に配して配管の抜け出しを阻止するためのものであり、接続部の側方から装着されて両側の配管に係合するＣ形のファスナー本体と、このファスナー本体のＣ形状の開放部を覆うと共にファスナー本体の両端を係止する係止カバーとを備え、その係止カバーを接続部の両側の配管に係合可能としたものである。
【０００９】
上記構成によれば、係止カバーでファスナー本体の両端を係止するので、Ｃ形のファスナー本体の開放部が広がるのを阻止して、配管の接続部からの管接続用ファスナーの脱落を防止することができる。
【００１０】
さらに、係止カバーを接続部の両側の配管に係合するので、係止カバーが外部から力を受けたとしても、その力を配管に受け持たせて、ファスナー本体からの係止カバーの脱落を阻止することができ、管接続用ファスナーの脱落をより確実に防止することができる。しかも、係止カバーを配管に直に係合するので、係止カバーが受ける力を、ファスナー本体を介さずに、配管に伝えることができ、ファスナー本体が変形して係止カバーが脱落しやすくなるのを防止することができる。
【００１１】
さらに、Ｃ形のファスナー本体に加えて、その開放部を覆う係止カバーを配管に係合させることにより、接続部の全周に渡って、両側の配管に管接続用ファスナーを係合させることができ、管接続用ファスナーによる配管の抜け出し防止機能を高めることができる。しかも、接続部の全周を取り囲むように管接続用ファスナーを装着するので、配管のうちの径の異なる部位に管接続用ファスナーを誤装着するのを防止することができる。
【００１２】
また、係止カバーを、ファスナー周方向で両端付近を接続部の両側の配管に係合可能としてもよい。
【００１３】
この構成によると、係止カバーの両端付近を配管に係合させるので、外部から受ける力に対して、係止カバーを安定して支持することができ、外部から力を受けて係止カバーが脱落することによる管接続用ファスナーの脱落をより確実に防止することができる。
【００１４】
また、管接続用ファスナーを配管の接続部の周囲に配して配管の抜け出しを阻止するための具体的な構成として、配管の外周面に、接続部で互いに隣接する環状突起を設け、ファスナー本体に、隣接する二条の環状突起を挟むよう対をなす本体側係合部を設け、係止カバーに、隣接する二条の環状突起を挟むよう対をなすカバー側係合部を設けた構成を例示できる。
【発明の効果】
【００１５】
以上のとおり、本発明によると、Ｃ形のファスナー本体の両端を係止カバーで係止すると共に、その係止カバーを接続部の両側の配管に係合するようにしている。これにより、管接続用ファスナーによる配管の抜け出し防止機能を高めつつ、ファスナー本体からの係止カバーの脱落を阻止して、管接続用ファスナーの脱落を防止することができ、接続部からの配管の抜け出しをより確実に防止することができる。
【図面の簡単な説明】
【００１６】
【図１】本発明に係る管接続用ファスナーを装着した配管の接続部の側面図
【図２】図１のＡ−Ａ断面図
【図３】図１の縦断面図
【図４】管接続用ファスナーの斜視図
【図５】ファスナー本体の斜視図で、（ａ）は外方から見た図、（ｂ）は内方から見た図
【図６】係止カバー斜視図で、（ａ）は外方から見た図、（ｂ）は内方から見た図
【図７】配管の接続部の分解状態の側面図
【図８】図７の縦断面図
【発明を実施するための形態】
【００１７】
以下、本発明に係る管接続用ファスナーを実施するための形態について、図面を用いて説明する。
【００１８】
図１〜図６に示すように、管接続用ファスナー１は、配管２ａ、２ｂの接続部３の両側に跨りつつ接続部３の周囲に配されて配管２ａ、２ｂの抜け出しを阻止するものであり、接続部３の側方から装着されて両側の配管２ａ、２ｂに係合するＣ形のファスナー本体４と、ファスナー本体４のＣ形状の開放部５を覆うと共にファスナー本体４の両端を係止する係止カバー６とを備え、その係止カバー６を接続部３の両側の配管２ａ、２ｂに係合するようになっている。
【００１９】
図１、図２、図７、図８に示すように、配管２ａ、２ｂの先端には、管継手７ａ、７ｂが設けられ、Ｏリング８を介在させて、管継手７ａの先端部９を管継手７ｂに挿入することにより、配管２ａ、２ｂが管継手７ａ、７ｂを介して接続される。
【００２０】
配管２ａ、２ｂの先端に設けられた管継手７ａ、７ｂのうち、管継手７ａには、その先端部９の基端側の外周面に環状突起１０ａが形成され、管継手７ｂには、その先端の外周面に環状突起１０ｂが形成されている。環状突起１０ａ、１０ｂは、管継手７ａの先端部９を管継手７ｂに挿入する際に、互いに隣接して管継手７ａの挿入量を制限し、両環状突起１０ａ、１０ｂの間に接続部３を構成する。
【００２１】
ファスナー本体４は、例えば弾性を有する合成樹脂製とされて、断面長方形でＣ形の２本の本体側係合部１１を並設すると共に、その両端及び中央を端連結部１２及び中央連結部１３で連結した構造とされる。このファスナー本体４を接続部３に装着することにより、対をなす２本の本体側係合部１１が、隣接する二条の環状突起１０ａ、１０ｂを挟むよう位置し、ファスナー本体４が両側の配管２ａ、２ｂに係合するようになっている。
【００２２】
ファスナー本体４の両端には、外向きに突出する被係止爪１４が形成され、ファスナー本体４の両端が係止カバー６に係止されることにより、ファスナー本体４の開放部５の広がりが規制されて、配管２ａ、２ｂの接続部３からのファスナー本体４の脱落が阻止される。
【００２３】
端連結部１２及び中央連結部１３は、本体側係合部１１よりも薄く形成されて、本体側係合部１１のうちの外側にずれた部位を連結すると共に、本体側係合部１１を環状突起１０ａ、１０ｂの両側に係合した際、環状突起１０ａ、１０ｂを跨ぐようになっている。この薄い端連結部１２及び中央連結部１３のうち、端連結部１２は、外向きに突出する被係止部１４によって補強され、中央連結部１３は、その外側に形成された中央補強部１５によって補強されている。
【００２４】
係止カバー６は、例えば弾性を有する合成樹脂製とされて、２本の弓形の帯板１６を並設すると共に、その両端を帯板１６と同じ厚さの端連結部１７で連結した構造とされる。係止カバー６の両端には、端連結部１７から内向きに突出する係止爪１８が形成され、この係止爪１８をファスナー本体４の被係止爪１４に係止して、ファスナー本体４の両端を係止するようになっている。
【００２５】
ファスナー周方向における係止カバー６の両端付近かつ端連結部１７よりも中央側には、合計４つで二対のカバー側係合部１９が設けられている。この二対のカバー側係合部１９は、ファスナー本体４の両端を係止するよう係止カバー６を装着することにより、隣接する二条の環状突起１０ａ、１０ｂを挟むよう位置し、係止カバー６の両端付近が両側の配管２ａ、２ｂに係合する。
【００２６】
上記構成によれば、ファスナー本体４を環状突起１０ａ、１０ｂに係合させた上で、ファスナー本体４の両端を係止カバー６で係止しつつ、係止カバー６をも環状突起１０ａ、１０ｂに係合させるようにしている。これにより、Ｃ形のファスナー本体４が開くように変形して脱落するのを防止すると共に、管接続用ファスナー１による配管２ａ、２ｂの抜け出し防止機能を高めることができる。
【００２７】
また、係止カバー６を環状突起１０ａ、１０ｂに係合させることにより、係止カバー６が外部から力を受けたとしても、その力を環状突起１０ａ、１０ｂに直に伝えることができ、係止カバー６の脱落を防止することができる。また、管接続用ファスナー１を柔軟な合成樹脂で形成する場合であっても、接続部３の全周を取り囲むように装着するので、径の異なる部位に誤装着するのを防止することができる。
【００２８】
なお、本発明は、上記の実施の形態に限定されるものではなく、本発明の範囲内において、適宜変更を加えることができる。例えば、カバー側係合部１９は、係止カバー６の両端付近に設けるだけでなく、中央付近に設けることもできる。
【符号の説明】
【００２９】
１          管接続用ファスナー
２ａ、２ｂ  配管
３          接続部
４          ファスナー本体
５          開放部
６          係止カバー
７ａ、７ｂ  管継手
８          Ｏリング
９          先端部
１０ａ、１０ｂ  環状突起
１１        本体側係合部
１２        端連結部
１３        中央連結部
１４        被係止爪
１５        中央補強部
１６        帯板
１７        端連結部
１８        係止爪
１９        カバー側係合部  
【図１】
2017187072.tif 000003
【図２】
2017187072.tif 000004
【図３】
2017187072.tif 000005
【図４】
2017187072.tif 000006
【図５】
2017187072.tif 000007
【図６】
2017187072.tif 000008
【図７】
2017187072.tif 000009
【図８】
2017187072.tif 000010